【事件の表示】
　特許第３３０８６９９号「磁気回路構造」の請求項１、２に係る特許に対する特許異議の申立てについて、次のとおり決定する。
【結　論】
　訂正を認める。
　特許第３３０８６９９号の請求項１に係る特許を取り消す。
　同請求項２に係る特許を維持する。
【理　由】
１．手続の経緯
　特許第３３０８６９９号に係る出願は、平成６年３月２３日に出願されたものであって、平成１４年５月１７日に特許の設定登録がされ、その後、その特許請求の範囲の請求項１、２に係る発明について、異議申立人小野浩一により特許異議の申立がなされ、取消理由通知がなされ、その指定期間内である平成１５年６月９日に訂正請求がなされたものである。
　
２．訂正の適否についての判断
（１） 訂正の内容
　訂正事項ａ
　明細書における特許請求の範囲の請求項１を以下のとおりに訂正する（下線部が訂正箇所）。
「【請求項１】ボイスコイルが懸架される磁気空隙が、プレートの外周面と、プレートを外囲するヨークの内周面との間に形成され、プレートとヨークの底部との間に永久磁石が備えられる内磁型の磁気回路構造において、
　永久磁石は、板状であり、頂部磁極面がプレートの底面に接合され、
　ヨークには、底部から突出し、永久磁石の底部磁極面に磁気的に接続される
断面形状が永久磁石の断面形状と同一の
　永久磁石の外径と、接続部の外径とは、プレートの外径以下であり、
　前記接続部には、
ヨーク底部の内面より永久磁石側に底部が位置し、
　
　訂正事項ｂ
　明細書における特許請求の範囲の請求項２を以下のとおりに訂正する（下線部が訂正箇所）。
「【請求項２】ボイスコイルが懸架される磁気空隙が、プレートの外周面と、プレートを外囲するヨークの内周面との間に形成され、プレートとヨークの底部との間に永久磁石が備えられる内磁型の磁気回路構造において、
　永久磁石は、板状であり、頂部磁極面がプレートの底面に接合され、
　ヨークには、底部から突出し、永久磁石の底部磁極面に磁気的に接続される
接続部
　永久磁石の外径と、接続部の外径とは、プレートの外径以下であり、
　前記プレートの上面が外部から中心部にいくにしたがって盛上がった曲面形状となっていることを特徴とする磁気回路構造。」
　
　訂正事項ｃ
　明細書の詳細な説明中の段落【００１７】を以下のとおりに訂正する（下線部が訂正箇所）。
「【課題を解決するための手段】本発明は、ボイスコイルが懸架される磁気空隙が、プレートの外周面と、プレートを外囲するヨークの内周面との間に形成され、プレートとヨークの底部との間に永久磁石が備えられる内磁型の磁気回路構造において、永久磁石は、板状であり、頂部磁極面がプレートの底面に接合され、ヨークには、底部から突出し、永久磁石の底部磁極面に磁気的に接続される
断面形状が永久磁石の断面形状と同一の
ヨーク底部の内面より永久磁石側に底部が位置し、
　
　訂正事項ｄ
　明細書の詳細な説明中の段落【００１８】の一部を以下の通りに訂正する（下線部が訂正箇所）。
「ヨークには、底部から突出し、永久磁石の底部磁極面に磁気的に接続される
接続部
　
（２） 訂正の目的の適否、新規事項の有無及び特許請求の範囲の実質的拡張・変更の存否
　上記訂正事項ａは、特許請求の範囲の減縮を目的とした明細書の訂正に該当し、訂正事項ｂは、誤記の訂正を目的とした明細書の訂正に該当し、訂正事項ｃ、ｄは、上記訂正事項ａ、ｂにより付随的に生じる記載不備を解消するものであって、明りょうでない記載の釈明を目的とした明細書の訂正に該当し、いずれも、新規事項の追加に該当せず、実質上特許請求の範囲を拡張し、又は変更するものではない。
　
（３） むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立ての概要
　異議申立人は、甲第１号証（実願昭５７−１５４６１１号（実開昭５９−５９０９４号）のマイクロフィルム）、甲第２号証（実願昭５５−３１１１９号（実開昭５６−１３４８９７号）のマイクロフィルム）、甲第３号証（実願昭５７−１４７４５４号（実開昭５９−５０１９３号）のマイクロフィルム）を提出し、本件請求項１に係る発明の特許は、特許法第２９条第１項３号、または同条第２項の規定に違反してなされたものであり、また、本件請求項２に係る発明の特許は、特許法第２９条第２項の規定に違反してなされたものであるから、取り消すべき旨主張している。
　
４．特許異議の申立てについての判断
（１）本件発明
　上記のとおり、平成１５年６月９日付の訂正請求は認容されるので、本件の請求項１、２に係る発明（以下「本件発明１、２」という。）は、訂正明細書の特許請求の範囲に記載された請求項１及び請求項２に記載のとおりのものと認める。
「【請求項１】（上記２．（１）訂正事項ａ参照）
　【請求項２】（上記２．（１）訂正事項ｂ参照）」
　
（２）刊行物記載の発明
　当審が通知した取消しの理由に引用した刊行物１（前記甲第１号証）には、図面とともに次の事項が記載されている。
「マグネットの外径をＤ１、ボイスコイルボビンの内径をＤ２とした時、ヨーク内底面に０．８Ｄ１〜Ｄ２の径を有する段部を設け、この段部上にマグネット、プレートを結合して界磁部を構成してなるスピーカ。」（実用新案登録請求の範囲）
「以上のように本考案のスピーカによれば、ヨーク内底面に段部を設け、この段部上にマグネット、プレートを結合することにより界磁部を構成しているため、ボイスコイルの下端がヨークの内底面に接触するまでの距離が長くなり、結果として許容入力を向上させることができ、またヨークに段部を形成するだけでよいため、価格が大幅に高くなってしまうことがない。」（５頁１行ないし８行）
　同じく、当審が通知した取消しの理由に引用した刊行物２（前記甲第２号証）には、図面とともに、「第５図は、内磁型におけるこの考案の実施例を示す断面図である。同図において、磁気回路は円柱状磁石１と内磁型ヨーク２ａにより構成される。」と記載されている（５頁４行ないし６行）。
　また、異議申立人が甲第３号証として提出した刊行物（以下「刊行物３」という。）には、次の事項が記載されている。
「現在音響機器の小型化、薄型化によりスピーカも小型化、薄型化が要望されている。しかし、従来のスピーカの構成であると、トッププレート１の厚さＴを小さくする必要があり、その結果マグネット２より出る磁束が飽和し、性能が劣化するという問題があった。」（１頁下から１行ないし２頁５行）
「本実施例のスピーカのトッププレート４は、その厚さをＴ、トッププレート４の半径とマグネット２の半径との差をａとするとき、周辺が半径Ｒ（ＲはＴ−ａ以上、Ｔ以下である。）で成形されている。なおトッププレート４の厚さＴは、マグネット２より出る磁束が飽和しないように寸法が定められている。」（３頁４行ないし１０行）
　
（３） 対比・判断
（本件発明１について）
　本件発明１と刊行物１に記載された発明とを対比すると、
　刊行物１に記載された発明は、明細書及び第２図の記載からすると、以下のように認められる。
（あ）内磁型のスピーカ、すなわち、内磁型の磁気回路構成に関する発明であると認められ、ボイスコイル１５が懸架される磁気空隙が、プレート１３の外周面と、プレート１３を外囲するヨーク１０の内周面との間に形成され、プレート１３とヨーク１０の底部との間にマグネット１１（本件発明１の永久磁石に相当）が備えられ、永久磁石は、板状であり、頂部磁極面がプレートの底面に接合されている。
（い）ヨーク１０には、底部から突出し、マグネット１１の底部磁極面に磁気的に接続される断面形状がマグネットの断面形状と同一と認められる段部１２（本件発明１の接続部に相当）が形成されている。
（う）マグネット１１の外径と、段部１２の外径とは、プレート１３の外径以下であり、前記段部には、ヨーク１０の底面側に開口する有底の穴が形成されている。
　
　したがって、本件発明１と刊行物１に記載された発明は、
「ボイスコイルが懸架される磁気空隙が、プレートの外周面と、プレートを外囲するヨークの内周面との間に形成され、プレートとヨークの底部との間に永久磁石が備えられる内磁型の磁気回路構造において、
　永久磁石は、板状であり、頂部磁極面がプレートの底面に接合され、
　ヨークには、底部から突出し、永久磁石の底部磁極面に磁気的に接続される断面形状が永久磁石の断面形状と同一の接続部が形成され、
　永久磁石の外径と、接続部の外径とは、プレートの外径以下であり、
　前記接続部には、ヨークの底面側に開口する有底の穴が形成されることを特徴とする磁気回路構造。」
である点で一致し、以下の点で相違している。
　
相違点１
　上記接続部に形成される「ヨークの底面側に開口する有底の穴」が、本件発明１では、ヨーク底部の内面より永久磁石側に底部が位置しているのに対して、刊行物１に記載された発明では、そのようになされていない点。
　
　そこで、相違点１について検討すると、
　刊行物１に記載された発明は、ヨーク底部に段部及び有底の穴（接続部）を設けることにより、ボイスコイルの下端がヨークの内底面に接触するまでの距離を長くし、許容入力を向上させるものであり、前記段部及び有底の穴の長さ（高さ、または深さ）をどの程度の長さにするかは、磁気回路を構成する各部品の形状、大きさ、許容入力の大きさ等を勘案して、当業者が適宜決定する単なる設計事項にすぎないと認められ、さらに、前掲の刊行物２には、内磁型の磁気回路において、ヨークの底部に、段部及び有底の穴（接続部）を設けるに当たって、当該有底の穴をヨーク底部の内面より磁石側に底部が位置するように設けることが記載されている。
　そうすると、上記相違点１に係る本件発明１の構成が、当業者にとって想到困難な格別のものであると認めることはできない。
　そして、本件発明１の効果についてみても、上記構成の採用に伴って当然に予測される程度のものにすぎず、格別顕著なものがあるとは認められない。
　したがって、本件発明１は、刊行物１及び２に記載された発明に基づいて当業者が容易に発明できたものであるから、本件発明１の特許は、特許法第２９条第２項の規定に違反してされたものである。
　
（本件発明２について）
　本件発明２と刊行物１ないし３（申立人が提出した甲第１ないし３号証）に記載の発明を対比すると、刊行物１ないし３には、本件発明２の主要事項である「プレートの上面が外部から中心部にいくにしたがって盛上がった曲面形状となっている」が記載されておらず、また、当該事項を示唆する記載もされていない。
　すなわち、刊行物１、２には、内磁型磁気回路における上面が平らなプレートが開示され、刊行物３には、内磁型スピーカにおいて、トッププレートの周辺を一定範囲の半径で成形することにより、ボイスコイルの位置を変えることができ、その結果スピーカを従来より薄くすることができることが開示されているが、プレートの上面が外部から中心部にいくにしたがって盛上がった曲面形状となっていることについては記載も示唆もない。
　そして、本件発明２は、前記主要事項により、「プレートの中心部の断面積が拡大されるので、プレートの中心部でも磁束の飽和を防ぐことができる。これによって、永久磁石から発せられる磁束を効率良く導くことができる。」という顕著な作用効果を奏するものである。
　したがって、本件発明２は、甲第１ないし３号証に記載された発明に基づいて当業者が容易になし得たものとは認められないので、本件発明２の特許は、特許法第２９条第２項の規定に違反してなされたものではない。
　
（４） むすび
　以上のとおり、本件発明１の特許は、特許法第２９条第２項の規定に違反してなされたものであり、拒絶の査定をしなければならない特許出願に対してなされたものと認める。　
　したがって、本件発明１の特許は、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、取り消すべきものである。
　また、本件発明２の特許については、取消理由を発見しない。
　よって、結論のとおり決定する。
【異議決定日】
平成１５年９月２９日（２００３．９．２９）
【訂正の要旨】
審決（決定）の【理由】欄参照。
（５４）【発明の名称】
磁気回路構造
（５７）【特許請求の範囲】
　【請求項１】　ボイスコイルが懸架される磁気空隙が、プレートの外周面と、プレートを外囲するヨークの内周面との間に形成され、プレートとヨークの底部との間に永久磁石が備えられる内磁型の磁気回路構造において、永久磁石は、板状であり、頂部磁極面がプレートの底面に接合され、
　ヨークには、底部から突出し、永久磁石の底部磁極面に磁気的に接続される
断面形状が永久磁石の断面形状と同一の
　永久磁石の外径と、接続部の外径とは、プレートの外径以下であり、
　前記接続部には、
ヨーク底部の内面より永久磁石側に底部が位置し、
　【請求項２】　ボイスコイルが懸架される磁気空隙が、プレートの外周面と、プレートを外囲するヨークの内周面との間に形成され、プレートとヨークの底部との間に永久磁石が備えられる内磁型の磁気回路構造において、永久磁石は、板状であり、頂部磁極面がプレートの底面に接合され、
　ヨークには、底部から突出し、永久磁石の底部磁極面に磁気的に接続される
接続部
　永久磁石の外径と、接続部の外径とは、プレートの外径以下であり、
　前記プレートの上面が外部から中心部にいくにしたがって盛上がった曲面形状となっていることを特徴とする磁気回路構造。
【発明の詳細な説明】
　【０００１】
　【産業上の利用分野】
　本発明は、スピーカおよびボイスコイルタイプのアクチュエータなどの磁気回路構造に関し、特に内磁型の磁気回路構造に関する。
　【０００２】
　【従来の技術】
　従来の典型的なスピーカの磁気回路構造は、大略的に外磁型と内磁型とに分けられる。一般に外磁型とは、永久磁石が外側に配置され、ボイスコイルが懸架される磁気空隙がプレートの内周面とポールピースの外周面との間に形成される構成のものを指す。このとき、永久磁石は、ポールピースの底部に設けられるフランジ部とプレートとによって挟持される。
　【０００３】
　外磁型の従来技術には、実開昭６３−９２４９４、実開昭６２−１５５５９７および特開平４−１９２８００などが挙げられる。
　【０００４】
　実開昭６３−９２４９４および実開昭６２−１５５５９７に示される従来技術は、実開昭６３−９２４９４公報の第１図および実開昭６２−１５５５９７公報の第４図に示されるように、ポールピースがボイスコイルの底部に臨む部分には凹所が設けられる。凹所を設けることによってボイスコイルの振幅が大きくとれるようになっている。
　【０００５】
　特開平４−１９２８００に示される従来技術は、特開平４−１９２８００公報の第１図に示されるように、ポールピースに貫通孔が設けられる。貫通孔を設けることによって、ボイスコイルのボビン内の空気が外部と自由に流通できるようにし、低音の再生特性の向上を図っている。
　【０００６】
　これに対し、内磁型の従来技術には、図４に示す従来技術と、実開平４−１０２３９７に示される従来技術と、図５に示す従来技術などが挙げられる。
　【０００７】
　図４に示す従来技術は、最も典型的な内磁型の磁気回路の特徴を示し、ボイスコイル１が懸架される磁気空隙がプレート２の外周面と、プレート２を外囲するヨーク３の頂部の内周面との問に形成される。永久磁石４はプレート２とヨーク３の底部との間の内側に備えられる。
　【０００８】
　実開平４−１０２３９７に示される従来技術では、実開平４−１０２３９７公報の図１〜図４に示されるように、ヨークの底板とヨーク本体とを別体とすることによって、ヨーク本体の頂部に設けられるボイスコイルの挿入孔の内径よりも大径の永久磁石がヨーク本体内へ装着可能になっている。
　【０００９】
　図５に示す従来技術では、プレート２の底部を拡大させることによって永久磁石４の径の拡大化を図っている。
　【００１０】
　一般に外磁型の磁気回路構造では、永久磁石にフェライト系磁石を用い、内磁型の磁気回路構造では、永久磁石にアルニコ系磁石やサマリウムコバルト、ネオジウムなどの希土類系磁石を用いる。希土類系磁石はフェライト系磁石に比べて高価であり、また最適動作点における磁化力が大きいので、できるだけ偏平な形状とすることが好ましく、内磁型の磁気回路構造では永久磁石の厚みは小さく設定される。
　【００１１】
　【発明が解決しようとする課題】
　実開昭６３−９２４９４、実開昭６２−１５５５９７および特開平４−１９２８００に示される従来技術では、永久磁石にフェライト系磁石を用いる外磁型であるので、磁気回路の大きさ、特に外径の大きさが内磁型の磁気回路構造に比べて大きく、小型化に適さない。
　【００１２】
　図４に示す典型的な内磁型の従来技術では、コストの低減などのために、希土類系磁石である永久磁石４の厚みを小さくしており、ボイスコイル１の底部とヨーク３との間の距離Ｌ１が小さくなっている。このため、ボイスコイル１の振幅が大きくなる低音の発生時には、ボイスコイル１の底部がヨーク３の底部に衝突し、ボイスコイル１が破損してしまうなどの問題がある。したがって図４に示す従来技術は、低音の発生には使用できない。実開平４−１０２３９７に示される従来技術においても、ボイスコイルの底部と永久磁石の上面との間の距離が小さく、低音発生時にはボイスコイルが永久磁石に衝突する。
　【００１３】
　図５に示す従来技術では、ボイスコイル１の振幅が大きくなると、プレート２の底部の傾斜面にボイスコイルが接触する。ボイスコイル１の振幅を大きくとれるようにするには、プレート２の磁気空隙に面する部分の厚みを大きくしたり、永久磁石４の厚みを大きくする方法などが挙げられるが、プレート２を厚くすると、磁気空隙における磁束密度が小さくなってしまうという問題があり、永久磁石４を厚くすると、コストが高くなるなどの問題がある。
　【００１４】
　また図４、図５および実開平４−１０２３９７に示される内磁型の従来技術では、ボイスコイルはヨークによって覆われているために、大出力の音を継続して発生させたときなどには、ボイスコイルから生じる熱がヨーク内にこもる。ヨーク内に熱がこもると、ボイスコイルが過熱し、ボイスコイルを固着している絶縁ワニスが融けてボイスコイルが破損したり、焼損したりする恐れがある。
　【００１５】
　前述の特開平４−１２９８００に示される従来技術は、小型化に適さない外磁型であり、ポールピースに設けられる貫通孔は、熱を放出させるためのものではない。
　【００１６】
　本発明の目的は、上記の課題を解決し、ボイスコイルを大振幅で振動させることができ、小型で耐入力性の向上された磁気回路構造を提供することである。
　【００１７】
　【課題を解決するための手段】
　本発明は、ボイスコイルが懸架される磁気空隙が、プレートの外周面と、プレートを外囲するヨークの内周面との間に形成され、プレートとヨークの底部との間に永久磁石が備えられる内磁型の磁気回路構造において、永久磁石は、板状であり、頂部磁極面がプレートの底面に接合され、
　ヨークには、底部から突出し、永久磁石の底部磁極面に磁気的に接続される
断面形状が永久磁石の断面形状と同一の
　永久磁石の外径と、接続部の外径とは、プレートの外径以下であり、
　前記接続部には、
ヨーク底部の内面より永久磁石側に底部が位置し、
　【００１８】
　また本発明は、ボイスコイルが懸架される磁気空隙が、プレートの外周面と、プレートを外囲するヨークの内周面との間に形成され、プレートとヨークの底部との間に永久磁石が備えられる内磁型の磁気回路構造において、永久磁石は、板状であり、頂部磁極面がプレートの底面に接合され、
　ヨークには、底部から突出し、永久磁石の底部磁極面に磁気的に接続される
接続部
　永久磁石の外径と、接続部の外径とは、プレートの外径以下であり、
　前記プレートの上面が外部から中心部にいくにしたがって盛上がった曲面形状となっていることを特徴とする磁気回路構造である。
　【００１９】
　【作用】
　本発明に従えば、ボイスコイルが懸架される磁気空隙が、プレートの外周面と、プレートを外囲するヨークの頂部の内周面との間に形成される内磁型の磁気回路構造において、ヨーク内にはヨークの底部から突出した接続部が形成される。磁束源である板状の永久磁石の頂部磁極面はプレートの底面に、底部磁極面はヨーク底部の接続部の上面にそれぞれ磁気的に接続され、永久磁石がプレートと接続部とによって挟持される。永久磁石の外径と接続部の外径とは、プレートの外径以下に設定される。
　【００２０】
　したがって、プレートおよび永久磁石の厚みを大きくすることなく、ボイスコイルの底部と、ボイスコイルの底部に対向するヨーク底部との間の距離を大きくすることができる。これによって、本発明の磁気回路構造がスピーカなどに適用された場合、発生させる音が高音から低音になるにつれてボイスコイルの振幅が大きくなるのであるが、ボイスコイルとヨーク底部との間の距離が拡大されているので、良好な状態で低音を再生させることができる。ヨーク底部に設けられる接続部には、ヨークの底面側に開口する有底の穴が形成される。したがって、ヨーク外面の表面積を大きくすることができ、ボイスコイルから発生する熱をヨーク外部へ効率良く放出することができる。
　【００２１】
　また本発明に従えば、プレートの上面を盛上がらせることによって、プレートの中心部の板厚方向の断面積を増大させることができる。中心部の断面積が拡大されるので、プレートの中心部でも磁束の飽和を防ぎ、永久磁石から発せられる磁束を効率良く導くことができる。
　【００２２】
　【実施例】
　図１は、本発明の一実施例である内磁型の磁気回路１１の構成を示す断面図である。磁気回路１１は、大略的にヨーク１２と、ボビン１３に巻回されるボイスコイル１４と、板状のプレート１５と、板状の永久磁石１６とを含んで構成される。ボイスコイル１４、プレート１５および永久磁石１６を外囲するヨーク１２は、頂部２０と、筒部２１と、底部２２と、底部２２に形成される接続部２３とを備えて構成される。頂部２０は、筒部２１の上端から内側へ張出すようにして形成され、ボイスコイル１４を外囲する内周面を有する。接続部２３は、底部２２から上方へ突出するようにして形成され、底部２２からの所定の高さをもつ接続面を有する。
　【００２３】
　永久磁石１６は、プレート１５と接続部２３とによって挟持される。このとき、永久磁石１６の頂部磁極面はプレート１５の底面に、底部磁極面は接続部２３の接続面にそれぞれ接続される。プレート１５の外周面と、ヨーク１２の頂部２０の内周面との間には、一様な間隔があけられて磁気空隙２４が形成される。この磁気空隙２４にはボビン１３によってボイスコイル１４が懸架される。永久磁石１６に用いられる希土類系磁石は高価であり、また最適動作点における磁化力が大きいので、偏平な形状で使用するため永久磁石１６の厚みは小さく設定される。またプレート１５の厚みも、厚みを大きくしすぎると、磁気空隙２４における磁束密度が小さくなるので、適切な厚さに設定される。
　【００２４】
　永久磁石１６と接続部２３とは同一の断面形状、たとえば円形状を有し、これに対応してプレート１５の外周面が、永久磁石１６および接続部２３の外周面から一様にいくらか外方へ突出するようになっている。本実施例では、永久磁石１６、接続部２３およびプレート１５の断面形状が円形状である場合を想定しているが、特にヨーク１２の外形については円形に限らず四角形状などの他の形状であってもよい。ここで、永久磁石１６および接続部２３の外周面が、プレート１５の外周面よりも内側に引っ込んでいるので、ボイスコイル１４が図の上下に振動する際、ボビン１３の内周面が永久磁石１６および接続部２３に接触しにくくなっており、良好にボイスコイル１４を振動させることができる。
　【００２５】
　ヨーク１２およびプレート１５は、鉄などの透磁率の高い強磁性金属材料で形成される。ヨーク１２の底部２２には、底部２２から上方へ突出した接続部２３が形成されるので、プレート１５および永久磁石１６を適切な厚さに保ったままで、ボイスコイル１４の底部とヨーク１２の底部との間の距離Ｌ３を大きくすることができる。距離Ｌ３を大きくすることによって、ボイスコイル１４の振幅を大きくとることができる。これによって、磁気回路１１がスピーカなどに適用された場合、発生される音が高音から低音になるにつれて、ボイスコイル１４の振幅が大きくなるのであるが、ボイスコイル１４の底部がヨーク１２の底部２２に接触することなく、高音から低音までを良好に発生させることができる。
　【００２６】
　また磁気回路１１では、ボイスコイル１４の振幅に合わせて接続部２４の底部２２からの高さを調節し、ボイスコイル１４の底部とヨーク１２の底部２２との距離Ｌ３を適切な長さに設定することができる。距離Ｌ３を適切な長さに設定することによって、磁気回路１１の上下方向に対する余分な厚みを減らすことができ、これによって磁気回路１１の小型化および低コスト化などを実現することができる。
　【００２７】
　なお磁気回路１１において、ヨーク１２は、頂部２０と筒部２１および底部２２とが別体であってもよく、また底部２２と接続部２３とが別体であってもよい。たとえば、頂部２０と、筒部２１および底部２２と、接続部２３とを別体とすることによって、プレスによる打抜き加工や曲げ加工などによって安価にヨーク１２を製造することができる。
　【００２８】
　図２は本発明の他の実施例である内磁型の磁気回路１１ａの構成を示す断面図である。図２において、図１に示す磁気回路１１と対応している部分には同一の参照符号を付す。磁気回路１１ａにおいて特徴とする点は、ヨーク１２の接続部２３に、ヨーク１２の底部２２の底面側へ開口する有底の穴２５が形成される点である。
　【００２９】
　穴２５が形成されることによってヨーク１２の外面の表面積を大きくすることができる。これによって、磁気回路１１ａがスピーカなどに適用されて、大出力の音を継続して発生させた場合でも、ボイスコイル１４から発せられる熱を効率良くヨーク１２の外部へ放出することができ、ボイスコイル１４の過熱を防止することができる。このようにボイスコイル１４の過熱が防止されるので、ボイスコイル１４の過熱によって生じるボイスコイル１２の劣化を防止することができ、磁気回路１１ａの耐入力性を向上することができる。
　【００３０】
　また磁気回路１１ａでは、ヨーク１２に接続部２３内から底部２２へ開口する穴２５が形成されるので、ヨーク１２全体をほぼ均一な厚みにすることができる。したがって、ヨーク１２の底部２２と接続部２３とを一体に加工しようとすると、先の実施例の磁気回路１１では、切削加工または鋳造などによって加工する必要があるが、本実施例の磁気回路１１ａでは、厚みが均一であるので量産に適したプレス加工によっても加工することができる。
　【００３１】
　なお本実施例では、接続部２３に形成される穴２５を、水平面に平行な面で切断したときの断面形状は、円形であることを想定しているが、円形に限らず星型などの放熱に適した他の形状であってもよい。
　【００３２】
　図３は、本発明のさらに他の実施例である内磁型の磁気回路１１ｂの構成を示す断面図である。図３において、図１に示す磁気回路１１と対応する部分には同一の参照符号を付す。磁気回路１１ｂにおいて特徴とする点は、プレート１５の上面２６が外周部から中心部にいくにしたがって盛上がった曲面形状となっている点である。プレート１５の上面２６を盛上がらせることによって、プレート１５の中心部の板厚方向の断面積を増大させることができる。
　【００３３】
　プレート１５に用いられる磁性材料などでは、その磁性材料に固有の磁気飽和量によって、永久磁石１６からプレート１５を介して磁気空隙に向かう磁束密度の大きさは上限が決まっていて中心部が飽和しやすいのであるが、中心部の断面積が拡大されるので、プレート１５の中心部でも磁束の飽和を防ぐことができる。これによって、永久磁石１６から発せられる磁束を効率良く導くことができる。
　【００３４】
　なお上述の第１〜第３実施例では、磁気回路１１，１１ａ，１１ｂがスピーカに適用されることを想定したが、スピーカに限らず、小型で大きな作動幅が要求されるボイスコイルタイプのアクチュエータなどに適用されてもよく、たとえば磁気ディスク記憶装置などの磁気ヘッド移動に用いられてもよい。
　【００３５】
　【発明の効果】
　以上のように本発明によれば、プレートおよび永久磁石を外囲して保持するヨークには、ヨークの底部から上方へ突出する接続部が形成される。永久磁石は、プレートと接続部とによって挟持される。したがって、従来ではプレートや永久磁石の厚みを大きくすることによって、ボイスコイルの底部とヨークの底部との間の距離を大きくしていたのであるが、本発明ではプレートおよび永久磁石の厚みを適切な厚みに保ったまま、ボイスコイルの底部とヨークの底部との間の距離を大きくすることができる。
　【００３６】
　ボイスコイルとヨークとの間の距離を大きくすることによって、本発明の磁気回路構造がスピーカなどに適用された場合、発生させる音が高音から低音になるにつれて、ボイスコイルの振幅が大きくなるのであるが、特に低音発生時においてボイスコイルの底部がヨークの底部に衝突するのを防止することができる。これによって小型で高音から低音までを良好に発生することができるスピーカを実現することができる。
　【００３７】
　さらに、接続部のヨークの底部からの高さを調節することによって、ボイスコイルの振幅に合わせてボイスコイルの底部とヨークの底部との間の距離を容易に調節することができる。これによって、磁気回路構造の上下方向に対する余分な厚みを減らすことができ、磁気回路構造の小型化および低コスト化を実現することができる。接続部にはヨークの底面側に開口する有底の穴が形成される。これによって、ヨーク外面の表面積を大きくすることができ、ボイスコイルから発生する熱を効率良くヨーク外部へ放出することができる。したがって、本発明の磁気回路構造がスピーカなどに適用されて、大出力の音が継続的に発生された場合でも、ボイスコイルの過熱を防ぎ、良好な状態で音を発生させることができる。
　【００３８】
　また本発明によれば、プレートの上面が外部から中心部にいくにしたがって盛上がった曲面形状となっているので、プレートの中心部の板厚方向の断面積を増大させることができる。中心部の断面積が拡大されるので、プレートの中心部でも磁束の飽和を防ぎ、永久磁石から発せられる磁束を効率良く導くことができる。
【図面の簡単な説明】
　【図１】
　本発明の一実施例である内磁型の磁気回路１１の構成を示す断面図である。
　【図２】
　本発明の他の実施例である内磁型の磁気回路１１ａの構成を示す断面図である。
　【図３】
　本発明のさらに他の実施例である内磁型の磁気回路１１ｂの構成を示す断面図である。
　【図４】
　従来の磁気回路の構成を示す。
　【図５】
　他の従来の磁気回路の構成を示す。
　【符号の説明】
　１１，１１ａ，１１ｂ　磁気回路
　１２　ヨーク
　１３　ボビン
　１４　ボイスコイル
　１５　プレート
　１６　永久磁石
　２３　接続部
　２４　磁気空隙
　２５　穴